(57)【特許請求の範囲】
【請求項１】
床パネルの下面に予め耐火板を、床パネルの下面のうち壁パネルによって支持される部位より内側に取り付けた耐火板付き床パネルと、壁パネルに耐火板を取り付けた耐火板付き壁パネルとの壁床接合構造であって、
前記壁パネルの上端面によって前記床パネルが支持されており、前記耐火板付き床パネルの耐火板が前記耐火板付き壁パネルの耐火板に当接され、
前記耐火板付き壁パネルの下端部には、耐火板が取り付けられていない領域が設けられており、この領域は前記耐火板付き壁パネルを下方の躯体に固定した後に、前記耐火板付き床パネルの耐火板と当接される前記耐火板付き壁パネルの耐火板の下に現場で後付け耐火板が取り付けられる領域であることを特徴とする壁床接合構造。
【請求項２】
請求項１記載の壁床接合構造において、
前記耐火板付き床パネルの耐火板の端部表面が、前記耐火板付き壁パネルの耐火板の上端面に当接されることを特徴とする壁床接合構造。
【請求項３】
請求項１または２記載の壁床接合構造において、
床パネルの下面には、前記耐火板の辺に沿って長尺な桟材がその下面を、床パネルの下面と面一になるように取り付けられており、この桟材の下面には、耐火板が取り付けられていることを特徴とする壁床接合構造。
【発明の詳細な説明】
【０００１】
【発明の属する技術分野】
本発明は、工業化住宅の壁床接合構造に関する。
【０００２】
【背景の技術】
工業化住宅等の建築物において、天井を施工する技術の一例として、特開平７−１８０２６６号公報に記載されている技術が知られている。この技術では、図３に示すように、平行に並設された複数の横木２１０の下面に、この横木２１０と直交する方向で複数の野縁２３０を固定し、この野縁２３０の下面に石膏ボード２５０を取り付け、さらに、水平片と垂直片からなる断面形状がＴ字形のブラケット４１０を、水平片の一側面が横木２１０の上面に固定されるとともに、垂直片の一方の面が横木２１０の端面に固定されるようにそれぞれの横木２１０の端部に亘って固定し、横木２１０の端面に直交方向で突出したブラケット４１０の水平片の他端側を下階外壁パネル３３０の上端面に載置して取り付けることで、天井を施工し、この天井の石膏ボード２５０によって、天井裏への延焼を防止するような防火をとっている。
【０００３】
また、前記公報の技術では、前記垂直片の先端に石膏ボード２５０の下面と平行に折り曲げた鍔部４１０ａを形成し、該鍔部４１０ａの先端に断面形状がコ字形の廻り縁４３０を下階外壁パネル３３０に当接することで、外壁パネル３３０と石膏ボード２５０との間の隙間を塞いで、この隙間に対して防火をとっている。
【０００４】
【発明が解決しようとする課題】
しかしながら、前記公報記載の技術では、複数の横木２１０を平行に並設し、該横木２１０の下面に、複数の野縁２３０をこの横木２１０と直交する方向で固定し、該野縁２３０の下面に石膏ボード２５０を取り付け、さらに、ブラケット４１０を横木２１０に固定し、このブラケット４１０を外壁パネル３３０の上端面に載置することにより、天井を施工しているので、その施工作業に手間がかかり、結果として、天井の石膏ボード２５０によって防火をとるのに手間がかかっていた。
【０００５】
さらに、前記ブラケット４１０の鍔部４１０ａの先端に、前記廻り縁４３０を外壁パネル３３０に当接することで、外壁パネル３３０と石膏ボード２５０との隙間を塞いで、この隙間に対して防火をとっていたので、構成部材数が多くなり、床パネルと壁パネルとの入隅部を施工するのに手間がかかっていた。
【０００６】
上記事情に鑑み、本発明の課題は、壁パネルの入隅部に対する防火を容易にとることができる壁床接合構造を提供することである。
【課題を解決するための手段】
以上の課題を解決するため、請求項１記載の発明は、例えば、図１に示すように、床パネル１の下面に予め耐火板２ａを、床パネル１の下面のうち壁パネル３ａ、３ｂによって支持される部位より内側に取り付けた耐火板付き床パネル１０と、壁パネル３ａ、３ｂに耐火板２ｂ１、２ｂ２を取り付けた耐火板付き壁パネル３０ａ、３０ｂとの壁床接合構造であって、
前記壁パネル３ａ、３ｂの上端面によって前記床パネル１が支持されており、前記耐火板付き床パネル１０の耐火板２ａが前記耐火板付き壁パネル３０ａ、３０ｂの耐火板に当接され、
前記耐火板付き壁パネル３０ａの下端部には、耐火板２ｂ１が取り付けられていない領域が設けられており、この領域は前記耐火板付き壁パネル３０ａを下方の躯体５に固定した後に、前記耐火板付き床パネル１の耐火板２ａと当接される前記耐火板付き壁パネル３０ａの耐火板２ｂ１の下に現場で後付け耐火板２ｃが取り付けられる領域であることを特徴とする。
【０００７】
請求項１記載の発明によれば、壁パネル３ａ、３ｂによって支持される部位より内側に、予め耐火板２ａが取り付けられた床パネル１を、壁パネル３ａ、３ｂで支持することによって、天井を施工することなく、耐火板２ａによって容易に防火をとることができる。すなわち、前記公報の技術においては、ブラケット４１０、横木２１０および野縁２３０などを使用して天井を施工しているので、この施工に手間がかかっていたが、請求項１の発明では床パネル１を壁パネル３ａ、３ｂに支持させるだけで、耐火板２ａによって容易に防火をとることができる。
また、前記耐火板付き床パネル１０の耐火板２ａが前記耐火板付き壁パネル３０ａ、３０ｂの耐火板２ｂ１、２ｂ２に当接されているので、天井を施工することなく、床パネル１と壁パネル３ａ、３ｂとの入隅部での防火を容易かつ確実にとることができる。
更に、前記耐火板付き壁パネル３０ａの下端部には、現場で後付け耐火板２ｃが取り付けられる領域が設けられているので、前記耐火板付き壁パネル３０ａが外壁となる場合、前記耐火板付き壁パネル３０ａの屋外側に外装材７などが取り付けられた状態で、前記領域からスクリュー釘Ａなどで該耐火板付き壁パネル３０ａを下方の躯体５に固定することができる。
そして、前記耐火板付き壁パネル３０ａを下方の躯体５に固定した後に、前記領域に後付け耐火板２ｃを取り付けることで、前記耐火板付き壁パネル３０ａの内面側が前記耐火板２ｂ１と後付け耐火板２ｃとで覆われるので、耐火板付き壁パネル３０ａの防火を容易にとることができる。
【０００８】
請求項３記載の発明は、例えば、図１に示すように、請求項１または２記載の壁床接合構造において、
床パネル１の下面には、前記耐火板２ａの辺に沿って長尺な桟材４がその下面を、床パネル１の下面と面一になるように取り付けられており、この桟材４の下面には、耐火板２ａが取り付けられていることを特徴とする。
【０００９】
請求項３記載の発明によれば、床パネル１の下面に桟材４が取り付けられており、この桟材４に耐火板２ａが取り付けられているので、床パネル１の下面に面材などがなくても、容易に耐火板２ａを取り付けることができる。
【００１０】
また、桟材４の下面が床パネル１の下面と面一であり、該桟材４の下面に耐火板２ａが取り付けられているので、この耐火板２ａは床パネル１の下面から突出することになる。したがって、壁パネル３ａ、３ｂの上端面に床パネル１の下面を載置して、該床パネル１を支持した場合に、壁パネル３ａ、３ｂの上端より下方に前記耐火板２ａが配置されるので、この耐火板２ａに、壁パネル３ａ、３ｂに取り付けられる耐火板２ｂ１、２ｂ２を当接することで、床パネル１と壁パネル３ａ、３ｂとの入隅部での防火を容易かつ確実にとることができる。
【００１３】
請求項２記載の発明は、請求項１記載の壁床接合構造において、
前記耐火板付き床パネル１０の耐火板２ａの端部表面が、前記耐火板付き壁パネル３０ａ、３０ｂの耐火板２ｂ１、２ｂ２の上端面に当接されていることを特徴とする。
【００１４】
請求項２記載の発明によれば、前記耐火板２ａの端部表面が、前記耐火板２ｂ１、２ｂ２の上端面に当接されているので、前記耐火板付き床パネル１０を前記耐火板付き壁パネル３０ａ、３０ｂの上端面に上方から取り付けることで、前記耐火板付き床パネル１０と前記耐火板付き壁パネル３０ａ、３０ｂの入隅部での防火を容易かつ確実にとることができる。また、このようにして入隅部で耐火板２ａ、２ｂ１、２ｂ２が接合されるので、該入隅部での凹凸部が形成されないため、該入隅部での外観を良好にできる。
【００１８】
【発明の実施の形態】
以下、図１および図２を参照して本発明の実施の形態を詳細に説明する。
本発明の壁床接合構造は、パネル工法により構築される建築物の各部屋において適用されるものであるが、本実施の形態では、浴室構造に本発明を適用した場合について説明する。
【００１９】
なお、パネル工法とは、壁や床、屋根などの構成要素を予め工場でパネル化し、施工現場でパネルを組み立てて建築物を構築する施工方法である。パネル工法に用いられるパネルは、主に木質パネルであり、縦横の框材を矩形状に組み立てるとともに、矩形枠の内部に補助棧材を縦横に組み付け、框材と補助棧材との両面もしくは片面に、面材を貼設したものである。
【００２０】
まず、浴室１５の構造について説明する。
浴室１５は、住宅の外壁を成す外壁パネル３０ａ（耐火板付き壁パネル）と、住宅内部を間仕切る内壁パネル３０ｂ（耐火板付き壁パネル）とから壁が形成されており、前記外壁パネル３０ａおよび内壁パネル３０ｂの上端部に配置される上階の床パネル１０（耐火板付き床パネル）によって覆われている。そして、この浴室１５には、図示は省略するが、例えば浴槽、シャワー、洗い場、壁、天井、換気口等が一体化された略箱型状のバスユニットが設けられている。
【００２１】
前記上階の床パネル１０は、前記パネルのうち床用に形成された床パネル１に対して、該床パネル１の下面に予め耐火板２ａを、該床パネル１の下面のうち壁パネル３ａ、３ｂよって支持される部位より内側に取り付けられたものである。該床パネル１の下面には、前記耐火板２ａの辺に沿って長尺な桟材４がその下面を、床パネル１の下面と面一になるように取り付けられており、この桟材４の下面には、耐火板２ａが取り付けられている。
【００２２】
前記耐火板２ａは、扁平な板状部材であって、石膏ボードで形成されている。
【００２３】
前記外壁パネル３０ａは、前記パネルのうち壁用に形成された壁パネル３ａに対して、一方の面（屋外側）に、防火性、断熱性、遮音性を有する外装材７（例えば、サイディングなど）が取り付けられ、他方の面（浴室１の壁面を成す面）に、耐火性を有する耐火板２ｂ１が取り付けられたものである。なお、前記他方の面の下端部には、耐火板２ｂ１が取り付けられていない領域が設けられている。
【００２４】
前記耐火板２ｂ１は、扁平な板状の部材であって、前記外壁パネル３０ａの下端部の耐火板２ｂ１が取り付けられていない領域の上端から、上端が該外壁パネル３０ａの上端部より前記耐火板２ａの厚さ分だけ低くなる位置まで取り付けられたものである。ここで、耐火板２ｂ１は、石膏ボードで形成されている。また、前記外壁パネル３０ａの下端部の耐火板２ｂ１が取り付けられていない領域には、後付け耐火板２ｃが取り付けられる。
【００２５】
前記後付け耐火板２ｃは、前記耐火板２ｂ１と同様に扁平な板状部材であって、前記外壁パネル３０ａを下方の躯体５に固定した後に、現場で耐火板２ｂ１が取り付けられていない領域に取り付けられるものである。ここで、耐火板２ｃは、石膏ボードで形成されている。
【００２６】
前記内壁パネル３０ｂは、前記外壁パネル３０ａと同様に壁用に形成された壁パネル３ｂに対して、少なくとも一方の面に（浴室１の壁面を成す面）に、耐火板２ｂ２が取り付けられたものである。
【００２７】
前記耐火板２ｂ２は、扁平な板状の部材であって、前記内壁パネル３０ｂの下端部から上端が該内壁パネル３０ｂの上端部より前記耐火板２ａの厚さ分だけ低くなる位置まで取り付けられたものである。ここで、耐火板２ｂ２は、石膏ボードで形成されている。
【００２８】
つぎに、上階の床パネル１０と外壁パネル３０ａおよび内壁パネル３０ｂとの壁床接合構造について説明する。
【００２９】
互いに隣接する外壁パネル３０ａと内壁パネル３０ｂとの接合面には、接着剤が塗布されており、この接着剤によって両者が接着されている。前記外壁パネル３０ａと内壁パネル３０ｂとは、さらにスクリュー釘Ｂによっても接合固定されている。また、前記外壁パネル３０ａと内壁パネル３０ｂの下端面には、接着剤が塗布されており、この接着剤によって下方の躯体５と接着されている。前記外壁パネル３０ａおよび内壁パネル３０ｂと、前記下方の躯体５とは、さらにスクリュー釘Ａによっても接合固定されている。
【００３０】
また、前記外壁パネル３０ａおよび内壁パネル３０ｂの上端面には、接着剤が塗布されており、この接着剤によって前記上階の床パネル１０が接着されている。さらに、前記外壁パネル３０ａおよび内壁パネル３０ｂと、前記上階の床パネル１０とは、さらにスクリュー釘Ｃによっても接合固定されている。
【００３１】
また、前記壁パネル３ａ、３ｂの上端面によって前記床パネル１が支持されており、前記上階の床パネル１０の耐火板２ａの端部表面が、前記外壁パネル３０ａおよび内壁パネル３０ｂの耐火板２ｂ１、２ｂ２の上端面に当接されている。
【００３２】
前記耐火板２ｂ１が取り付けていない領域には、前記外壁パネル３０ａと内壁パネル３０ｂとを設置し、外壁パネル３０ａと内壁パネル３０ｂとをスクリュー釘ａや図示しないアンカーボルトによって躯体５に固定した後に、後付け耐火板２ｃが取り付けられる。
なお、前記後付け耐火板２ｃは、前記上階の床パネル１０を前記外壁パネル３０ａと内壁パネル３０ｂとの上端面に設置した後、前記耐火板２ｂ１が取り付けていない領域に、取り付けられても良い。
【００３３】
以上のように、本実施の形態によれば、以下のような効果が得られる。
▲１▼前記壁パネル３ａ、３ｂによって支持される部位より内側に、予め耐火板２ａが取り付けられた床パネル１を、壁パネル３ａ、３ｂに支持されることによって、天井を施工することなく、耐火板２ａによって容易に防火をとることができる。すなわち、従来の技術においては、ブラケット４１０、横木２１０および野縁２３０などを使用して天井を施工しているので、この施工に手間がかかっていたが、本実施の形態の発明では床パネル１を壁パネル３ａ、３ｂに支持させるだけで、耐火板２ａによって容易に防火をとることができる。
【００３４】
▲２▼床パネル１の下面に桟材４が取り付けられており、この桟材４に耐火板２ａが取り付けられているので、床パネル１の下面に面材などがなくても、容易に耐火板２ａを取り付けることができる。
【００３５】
▲３▼桟材４の下面が床パネル１の下面と面一であり、該桟材４の下面に耐火板２ａが取り付けられているので、この耐火板２ａは床パネル１の下面から突出することになる。したがって、壁パネル３ａ、３ｂの上端面に床パネル１の下面を載置して、該床パネル１を支持した場合に、壁パネル３ａ、３ｂの上端より下方に前記耐火板２ａが配置されるので、この耐火板２ａに、壁パネル３ａ、３ｂに取り付けられる耐火板２ｂ１、２ｂ２を当接することで、床パネル１と壁パネル３ａ、３ｂとの入隅部での防火を容易かつ確実にとることができる。
【００３６】
▲４▼前記上階の床パネル１０の耐火板２ａの端部表面が、前記外壁パネル３０ａおよび内壁パネル３０ｂの耐火板２ｂ１、２ｂ２の上端面に当接されているので、前記上階の床パネル１０を前記外壁パネル３０ａおよび内壁パネル３０ｂの上端面に上方から取り付けることで、天井を施工することなく、前記上階の床パネル１０と前記外壁パネル３０ａおよび内壁パネル３０ｂとの入隅部での防火を容易かつ確実にとることができる。
【００３７】
また、このようにして入隅部で耐火板２ａ、２ｂ１、２ｂ２が接合されるので、該入隅部での凹凸部が形成されないため、該入隅部での外観を良好にできる。
【００３８】
▲５▼前記外壁パネル３０ａの下端部には、現場で後付け耐火板２ｃが取り付けられる領域が設けられているので、前記外壁パネル３０ａの屋外側に外装材７などが取り付けられた状態で、前記領域からスクリュー釘Ａなどで該外壁パネル３０ａを下方の躯体５に固定することができる。
【００３９】
そして、前記外壁パネル３０ａを下方の躯体５に固定した後に、前記領域に後付け耐火板２ｃを取り付けることで、前記外壁パネル３０ａの防火を容易にとることができる。
【発明の効果】
【００４０】
請求項１記載の発明によれば、壁パネルによって支持される部位より内側に、予め耐火板が取り付けられた床パネルを壁パネルで支持することによって、天井を施工することなく、耐火板によって容易に防火をとることができる。すなわち、請求項１の発明では床パネルを壁パネルに支持させるだけで、耐火板によって容易に防火をとることができる。
また、前記耐火板付き床パネルの耐火板が前記耐火板付き壁パネルの耐火板に当接されているので、天井を施工することなく、床パネルと壁パネルの入隅部での防火を容易かつ確実にとることができる。
更に、前記耐火板付き壁パネルの下端部には、現場で後付け耐火板が取り付けられる領域が設けられているので、前記耐火板付き壁パネルが外壁となる場合、前記耐火板付き壁パネルの屋外側に外装材などが取り付けられた状態で、前記領域からスクリュー釘などで該耐火板付き壁パネルを下方の躯体に固定することができる。
そして、前記耐火板付き壁パネルを下方の躯体に固定したのちに前記領域に後付け耐火板を取り付けることで、前記耐火板付き壁パネルの防火を容易にとることができる。
【００４１】
請求項３記載の発明によれば、請求項１または請求項２と同様の効果が得られることは勿論のこと、床パネルの下面に桟材が取り付けられており、この桟材に耐火板が取り付けられているので、床パネルの下面に面材などがなくても、容易に耐火板を取り付けることができる。
【００４２】
また、桟材の下面が床パネルの下面と面一であり、該桟材の下面に耐火板が取り付けられているので、壁パネルの上端面に床パネルの下面を載置して、該床パネルを支持した場合に、壁パネルの上端より下方に前記耐火板が配置されるので、この耐火板に、壁パネルに取り付けられる耐火板を当接することで、床パネルと壁パネルの入隅部での防火を容易かつ確実にとることができる。
【００４４】
請求項２記載の発明によれば、請求項１と同様の効果が得られることは勿論のこと、前記耐火板の端部表面が、前記耐火板の上端面に当接されているので、前記耐火板付き床パネルを前記耐火板付き壁パネルの上端面に上方から取り付けることで、前記耐火板付き床パネルと前記耐火板付き壁パネルの入隅部での防火を容易かつ確実にとることができる。また、このようにして入隅部で耐火板が接合されるので、該入隅部の外観を良好にできる。
【図面の簡単な説明】
【図１】本発明の実施の形態の一例を示すもので、浴室の縦断面図である。
【図２】同、浴室の平断面図である。
【図３】従来の壁床構造の縦断面図である。
【符号の説明】
１        床パネル
２ａ、２ｂ１、２ｂ２  耐火板
２ｃ        後付け耐火板
３ａ、３ｂ  壁パネル
４          桟材
５          躯体
１０        耐火板付き床パネル
３０ａ、３０ｂ  耐火板付き壁パネル
【図１】
0004878090.tif 000002
【図２】
0004878090.tif 000003
【図３】
0004878090.tif 000004